(57)【要約】  互いに取り外し可能に付着された複数の識別ブレスレットであって、各ブレスレットがカバータブを含む第１の端部と、接着部分を有する閉鎖タブを定める第２の端部とを有する。第２のブレスレットのカバータブは、隣接する第１の識別ブレスレットの閉鎖タブの接着部分の上に取り外し可能に載る。第１及び第２のブレスレットが分離されたときに、第１のブレスレットの接着部分が露出され、カバータブは取り外されたときに第２のブレスレットに留まる。第１のブレスレットの閉鎖タブの接着部分は、閉鎖位置から開放位置まで移動して識別される物体を囲むときに識別ブレスレットの表面に接着される。ブレスレットは、末端でつながりで接続されて細長いストリップを形成し、或いは細長い側縁に沿って識別ブレスレットのシートを形成する。【選択図】図１
2008500872.tif 000002
【特許請求の範囲】
【請求項１】
互いに分離可能に接続された複数の識別ブレスレットであって、
カバータブを有する第１の端部と、接着部分を有する閉鎖タブを定める第２の端部とを含む第１のブレスレットと、
前記第１のブレスレットに取り外し可能に付着され、カバータブを有する第１の端部と接着部分を有する閉鎖タブを定める第２の端部とを含む第２のブレスレットと、
を備え、
前記第２のブレスレットのカバータブが隣接する前記第１の識別ブレスレットの閉鎖タブの接着部分の上に取り外し可能に載り、これにより前記第１のブレスレットを前記第２のブレスレットから分離したときに、前記第１のブレスレットの閉鎖タブの接着部分が露出され、前記第２のブレスレットのカバータブは前記第２のブレスレットに留まり、前記第１のブレスレットの閉鎖タブの事前に露出された接着部分が、開放位置から閉鎖位置に移動して識別される物体を囲むときに前記第１のブレスレットの一部に接着されることを特徴とするブレスレット。
【請求項２】
前記各ブレスレットのカバータブと接着部分とが領域が実質的に同じであることを特徴とする請求項１に記載のブレスレット。
【請求項３】
前記ブレスレットが、細長いストリップを形成するように末端間をつないで分離可能に接続された複数のブレスレットを含むことを特徴とする請求項１に記載のブレスレット。
【請求項４】
前記ブレスレットが正反対に向いた第１及び第２のアウターシートを各々含み、前記第１のシートが、前記カバータブを定める前記第２のシートの第１の端部を越えて延びる部分を有し、前記第２のシートが、前記カバータブとほぼ反対側の前記第１のシートの端部を越えて延びて前記閉鎖タブを定めることを特徴とする請求項１に記載のブレスレット。
【請求項５】
前記第１のアウターシート内に形成されたスコアラインが前記ブレスレットのカバータブを定め、前記第２のアウターシート内に形成されたスコアラインが前記ブレスレットの端部を定めることを特徴とする請求項４に記載のブレスレット。
【請求項６】
前記第１のアウターシート内に形成されたスコアラインが前記第２のアウターシート内に形成されたスコアラインからオフセットされていることを特徴とする請求項５に記載のブレスレット。
【請求項７】
前記スコアラインが複数の小孔を含むことを特徴とする請求項５に記載のブレスレット。
【請求項８】
該第１及び第２のアウターシートが各々材料の１つ又はそれよりも多い層から構成されることを特徴とする請求項４に記載のブレスレット。
【請求項９】
前記第１又は第２のアウターシートの層の少なくとも１つが、プリントするように適合された材料から構成されることを特徴とする請求項８に記載のブレスレット。
【請求項１０】
前記第１のアウターシートがプラスチック材料から構成されることを特徴とする請求項４に記載のブレスレット。
【請求項１１】
前記第１及び第２のアウターシートが互いに接合されることを特徴とする請求項４に記載のブレスレット。
【請求項１２】
前記第１及び第２のアウターシート間に配置された接着層を含む請求項１１に記載のブレスレット。
【請求項１３】
前記接着層が前記第１のシートを越えて前記第２のシートの端部に向けて延びて接着部分を構成することを特徴とする請求項１２に記載のブレスレット。
【請求項１４】
前記ブレスレットが、細長い側縁に沿って分離可能に接続されて識別ブレスレットのシートを形成する複数のブレスレットを含むことを特徴とする請求項１に記載のブレスレット。
【請求項１５】
前記第１のカバータブが、前記ブレスレットの長形軸線に対してほぼ直角に延びて、前記隣接する第２のブレスレットの閉鎖タブの接着部分の上に載ることを特徴とする請求項１４に記載のブレスレット。
【請求項１６】
前記カバーのほぼ反対側にある各ブレスレットの端部が、前記ブレスレットの閉鎖タブを定めることを特徴とする請求項１４に記載のブレスレット。
【請求項１７】
各ブレスレットが、正反対に向いた第１及び第２のアウターシートを含み、前記第１のシートが前記カバータブを定める延長部を有し、前記第２のシートが前記閉鎖タブを定めることを特徴とする請求項１４に記載のブレスレット。
【請求項１８】
前記複数の識別ブレスレットの各々が前記複数の識別ブレスレットを分離可能に接続するスコアラインによって定められることを特徴とする請求項１７に記載のブレスレット。
【請求項１９】
前記スコアラインが複数の小孔を含むことを特徴とする請求項１８に記載のブレスレット。
【請求項２０】
前記第１及び第２のアウターシートが各々、材料の１つ又はそれよりも多い層から構成されることを特徴とする請求項１７に記載のブレスレット。
【請求項２１】
前記第１及び第２のアウターシートの層の少なくとも１つが、プリントするように適合された材料から構成されることを特徴とする請求項２０に記載のブレスレット。
【請求項２２】
前記第１のアウターシートがプラスチック材料から構成されることを特徴とする請求項１７に記載のブレスレット。
【請求項２３】
前記第１及び第２のアウターシートが共に接合されることを特徴とする請求項１７に記載のブレスレット。
【請求項２４】
前記第１及び第２のアウターシート間に配置された接着層を含む請求項２３に記載のブレスレット。
【請求項２５】
前記カバータブと前記閉鎖タブの接着部分との間に配置された剥離ライナを含むことを特徴とする請求項１に記載のブレスレット。
【請求項２６】
前記剥離ライナがシリコーン層を含むことを特徴とする請求項２５に記載のブレスレット。
【請求項２７】
互いに分離可能に接続された複数の識別ブレスレットであって、
カバータブを有する第１の端部と、接着部分を有する閉鎖タブを定める第２の端部とを含む第１のブレスレットと、
カバータブを有する第１の端部と、接着部分を有する閉鎖タブを定める第２の端部とを含む、細長いストリップを形成するように末端間をつないで前記第１のブレスレットに取り外し可能に取り付けられた第２のブレスレットと、
を備え、
前記各ブレスレットのカバータブと前記閉鎖タブの接着部分とは、領域が実質的に同じであり、
前記第２のブレスレットのカバータブが隣接する前記第１の識別ブレスレットの閉鎖タブの接着部分の上に取り外し可能に載り、これにより前記第１及び第２のブレスレットを分離したときに、前記第１のブレスレットの接着部分が露出され、前記第２のブレスレットのカバータブが前記第２のブレスレットに留まり、前記第２のブレスレットの露出された接着部分が、前記第１のブレスレットが開放位置から閉鎖位置に移動して識別される物体を囲むときに前記第１のブレスレットの一部に接着されることを特徴とするブレスレット。
【請求項２８】
前記ブレスレットが正反対に向いた第１及び第２のアウターシートを各々含み、前記第１のシートが、前記カバータブを定める前記第２のシートの第１の端部を越えて延びる部分を有し、前記第２のシートが、前記カバータブとほぼ反対側の前記第１のシートの端部を越えて延びて前記閉鎖タブを定めることを特徴とする請求項２７に記載のブレスレット。
【請求項２９】
前記第１のアウターシート内に形成されたスコアラインが前記ブレスレットのカバータブを定め、前記第２のアウターシート内に形成されたスコアラインが前記第１のシートのスコアラインからオフセットされており、前記ブレスレットの端部を定めることを特徴とする請求項４に記載のブレスレット。
【請求項３０】
前記スコアラインが複数の小孔を含むことを特徴とする請求項２９に記載のブレスレット。
【請求項３１】
前記第１及び第２のアウターシートが各々材料の１つ又はそれよりも多い層から構成され、前記第１又は第２のアウターシートの層の少なくとも１つが、プリントするように適合された材料から構成されることを特徴とする請求項２８に記載のブレスレット。
【請求項３２】
前記第１及び第２のアウターシートが互いに接合されることを特徴とする請求項２８に記載のブレスレット。
【請求項３３】
前記第１及び第２のアウターシート間に配置された接着層を含む請求項３２に記載のブレスレット。
【請求項３４】
前記カバータブと前記閉鎖タブの接着部分との間に配置された剥離ライナを含むことを特徴とする請求項２８に記載のブレスレット。
【請求項３５】
互いに分離可能に接続された複数の識別ブレスレットであって、
カバータブを有する第１の端部と、接着部分を有する閉鎖タブを定める第２の端部とを含む第１のブレスレットと、
カバータブを有する第１の端部と、接着部分を有する閉鎖タブを定める第２の端部とを含む、ブレスレットのシートを形成するように細長い縁部に沿って前記第１のブレスレットに取り外し可能に取り付けられた第２のブレスレットと、
を備え、
前記各ブレスレットのカバータブと前記閉鎖タブの接着部分とは、領域が実質的に同じであり、
前記第１のブレスレットのカバータブが隣接する前記第２の識別ブレスレットの閉鎖タブの接着部分の上に取り外し可能に載り、これにより前記第１及び第２のブレスレットを分離したときに、前記第１のブレスレットの接着部分が露出され、前記第２のブレスレットのカバータブが前記第２のブレスレットに留まり、前記第１のブレスレットの閉鎖タブの接着部分は、前記第１のブレスレットが開放位置から閉鎖位置に移動して識別される物体を囲むときに、前記第１のブレスレットの一部に接着されることを特徴とするブレスレット。
【請求項３６】
前記第１のカバータブが、前記ブレスレットの長形軸線に対してほぼ直角に延びて、前記隣接する第２のブレスレットの閉鎖タブの接着部分の上に載ることを特徴とする請求項３５に記載のブレスレット。
【請求項３７】
前記カバーのほぼ反対側にある各ブレスレットの端部が、前記ブレスレットの閉鎖タブを定めることを特徴とする請求項３５に記載のブレスレット。
【請求項３８】
各ブレスレットが、正反対に向いた第１及び第２のアウターシートを含み、前記第１のシートが前記カバータブを定める延長部を有し、前記第２のシートが前記閉鎖タブを定めることを特徴とする請求項３５に記載のブレスレット。
【請求項３９】
前記複数の識別ブレスレットの各々が前記複数の識別ブレスレットを分離可能に接続するスコアラインによって定められることを特徴とする請求項３８に記載のブレスレット。
【請求項４０】
前記スコアラインが複数の小孔を含むことを特徴とする請求項３９に記載のブレスレット。
【請求項４１】
前記第１及び第２のアウターシートが各々材料の１つ又はそれよりも多い層から構成され、前記第１又は第２のアウターシートの層の少なくとも１つが、プリントするように適合された材料から構成されることを特徴とする請求項３８に記載のブレスレット。
【請求項４２】
前記第１及び第２のアウターシートが互いに接合されることを特徴とする請求項３８に記載のブレスレット。
【請求項４３】
前記カバータブと前記閉鎖タブの接着部分との間に配置された剥離ライナを含むことを特徴とする請求項３８に記載のブレスレット。
【発明の詳細な説明】
【技術分野】
【０００１】
本発明は一般に、人間及び／又は物体を識別する識別ブレスレットに関する。より詳細には、本発明は、取り外し可能剥離ライナを必要としないように設計された識別ブレスレットに関する。
【背景技術】
【０００２】
識別ブレスレットの利用は、入院患者の入場などの従来の分野並びに群衆整理及びお客様の識別などの他の用途の両方において広い範囲に及ぶ。識別される人又は物体に好適に取り付け可能であることに加えて、こうしたブレスレットの主な要件の１つは、ブレスレットを取り付けた人又は物体に関連した適切な情報及び／又は要求される情報をブレスレットが保持しなければならない点である。数多くのブレスレットは、現在のところこれらの２つの広範な基準に適合している。
【０００３】
識別される人又は物体に対して、このようなブレスレットを動作可能に貼り付けるために種々の閉鎖部材が使用される。大別すると、これらのブレスレットは、機械式と接着式のいずれかで説明することができる。機械式閉鎖部材は、ブレスレットのコストが高くなる可能性があり、通常はプリンタを通して供給することができないので、ブレスレットに情報をインプリントした後でブレスレットと共に組み立てる必要がある。下流側の組立工程が煩雑になる可能性があり、通常は機械的閉鎖部材の種々の構成要素の在庫をプリンタの出力側に隣接して保持しなければならず、こうしたシステムの管理上の負担及び時間並びにコストが増大する。
【０００４】
接着性閉鎖部材ブレスレットは、これらの問題の大半を解消することができる。例えば、特定の接着性閉鎖部材ブレスレットは、プリンタによって供給することができる。しかしながら、閉鎖部材自体の構造、特に閉鎖部材自体に隣接する構造によって、情報を正確にプリントするためのプリンタ性能が影響を受ける可能性がある。換言すると、最終的にはブレスレットを人に装着する前に除去されて接着剤を露出させる取り外し可能カバーストリップなどの接着性閉鎖部材ブレスレットの閉鎖部分を作製するのに通常利用される材料の追加層又は積層は、閉鎖部材近傍のインプリンティング情報の品質並びに実現可能性にも影響を与える可能性がある。
【０００５】
廃棄可能な使い捨ての閉鎖部材又はシールドを利用し、使用直前までは接着剤を覆い、使用する時点で該シールドが接着剤から除去されて廃棄されるこれらの識別ブレスレットには別の欠点がある。取り外し可能剥離ライナと呼ばれる場合もあるこの閉鎖部材又はシールドは、何らかの方法で処分する必要のある廃棄物となる。シールドが適切に処分されない場合には、利用時に該シールドをバンドから分離することで、特に屋外用途において環境を汚染する可能性がある。更に、適切な処分（特に利用頻度が高い大容積のブレスレットの観点で）には、必然的にブレスレットの使用に伴う労力の増大が必要とされる。
【０００６】
従って、プリント可能な接着性閉鎖部材ブレスレットを提供しながらも取り外し可能剥離ライナを排除しようとする取り組みがなされてきた。米国特許第５，４５７，９０６号では、バンドの接着部分を部分的に剥離可能に覆いながら、他の部分は識別バンドと係合して剥離された後に廃棄物にならないように適合されたシールドを有する識別バンド用の接着性閉鎖部材が開示されている。全体的には適切に機能するが、バンドを閉じる際にはシールドが完全には除去されないように注意する必要がある。
【０００７】
米国特許第５，７９９，４２６号では、同様に取り外し可能剥離ライナの使用が回避された厚みが均一な接着性閉鎖部材識別ブレスレットが開示されている。可動カバー部分は、積層体の１つの一部として形成され、積層体の２つ又はそれ以上の間に配置された接着剤に対してカバー関係から非カバー関係に移動するよう適合されている。
【０００８】
従って、取り外し可能剥離ライナの使用を回避しながら従来の方法でプリントすることができる接着性識別ブレスレットに対する必要性が継続的に存在する。本発明は、これらの必要性を満たし、他の関連する利点をもたらす。
【０００９】
【特許文献１】米国特許第５，４５７，９０６号公報
【特許文献２】米国特許第５，７９９，４２６号公報
【発明の開示】
【００１０】
本発明は、従来のプリンタを用いてプリントすることができ、取り外し可能剥離ライナ又はシールドを利用しない接着性リストバンドに関する。本発明によれば、複数の識別ブレスレットが互いに分離可能に接続され、一般にカバータブを有する第１の端部と接着部分を有する閉鎖タブを定める第２の端部とを含む第１のブレスレットを備える。第２のブレスレットが第１のブレスレットに取り外し可能に付着され、更に、カバータブを有する第１の端部と接着部分を有する閉鎖タブを定める第２の端部とを含む。第２のブレスレットのカバータブが、隣接する第１の識別ブレスレットの閉鎖タブの接着部分の上に取り外し可能に載る。第１のブレスレットを第２のブレスレットから分離すると、第１のブレスレットの接着部分が露出され、第２のブレスレットのカバータブは第２のブレスレットに留まり、第１のブレスレットの閉鎖タブの接着部分は、開放位置から閉鎖位置に移動して識別される物体を囲むときに、第１のブレスレットの一部に接着される。
【００１１】
各ブレスレットは、正反対に向いた第１及び第２のアウターシートから構成され、該シートは材料の１つ又はそれよりも多い層から構成することができる。第１及び第２のアウターシートの層の少なくとも１つは、プリントするように適合された材料から構成される。
【００１２】
各ブレスレットの相対するアウターシート内に形成されたカバータブと接着部分とは、通常領域がほぼ等しい。好ましくは、各ブレスレットの閉鎖タブ及び接着部分の構成は相補的である。
【００１３】
１つの実施形態において、複数のブレスレットが末端をつないで分離可能に接続されて細長いストリップを形成する。このような実施形態において、第１のシートは、第２のシートの第１の端部を越えて延びる部分を有し、カバータブを定める。典型的には、第１のアウターシートはプラスチック材料から構成される。第２のシートは、カバータブとほぼ反対側の第１のシートの端部を越えて延びて閉鎖タブを定める。第１及び第２のアウターシートは、第１及び第２のアウターシートの間に配置された接着層などによって互いに接合される。接着層は、第１のシートを越えて第２のシートの端部に向かって延びて閉鎖タブの接着部分を構成する。
【００１４】
第１のアウターシート内に形成されたスコアラインは、ブレスレットのカバータブを定め、第２のアウターシート内に形成されたスコアラインは、ブレスレットの端部を形成する。典型的には、スコアラインは、識別ブレスレットを互いから取り外すのを容易にするための複数の小孔を含む。識別ブレスレットが末端間をつないで分離可能に接続され、細長いストリップを形成する場合、第１のアウターシート内に形成されたスコアラインは、第２のアウターシート内に形成されたスコアラインからオフセットされている。
【００１５】
別の実施形態では、ブレスレットは、細長い側縁に沿って分離可能に接続されて識別ブレスレットのシートを形成する複数のブレスレットを含む。このような実施形態において、第１のブレスレットのカバータブは、ブレスレットの長形軸線に対してほぼ直角に延びて、隣接する第２のブレスレットの閉鎖タブの接着部分の上に載る。
本発明の他の特徴及び利点は、例証として本発明の原理を図示する添付図面を参照しながら以下のより詳細な説明から明らかになるであろう。
【発明を実施するための最良の形態】
【００１６】
添付図面は本発明を例証するものである。
【００１７】
例証の目的で添付図面で示されるように、本発明は、本明細書でより詳細に説明されるような細長いストリップ又はシート状に互いに分離可能に接続され、取り外し可能剥離ライナ及び付随するその欠点を有さないように設計された識別ブレスレットに関する。
【００１８】
図１〜５を参照すると、本発明の第１の実施形態が図示されている。この実施形態において、図１に示すように複数のブレスレット１０が末端間をつないで分離可能に接続されて細長いストリップが形成されており、該ストリップは、スプール１２を形成して、コンピュータ１６又は同様のものにより制御されるプリンタ１４を介して供給することができる。コンピュータ１６及びプリンタ１４は、ブレスレットがプリンタ１４を通過するときに各ブレスレット１０上に所要の識別情報をインプリントすることができるのが好ましい。例証であって限定ではないが、プリンタ１４は、ブレスレット１０を身につけることになる人に応じた社会保険番号、バーコード情報、又は他の情報をインプリントすることができる。このようなシステムは、病院環境、コンサート、アミューズメントパーク、その他で有利に利用することができる。本明細書でより詳細に説明するように、ブレスレット１０は、複雑な問題が生じることなくプリンタ１４を通して供給されるように厚みが実質的に均一である。各ブレスレット１０は、反射性ストリップ１８又は光透過性センサホール２０を含むことができる。当業者であれば、プリンタ１４のセンサは反射性ストリップ１８又はアパーチャ２０を利用して、プリンタ１４を通るブレスレット１０のストリップの送給を正確に制御することで、ブレスレット１０の長さに沿った所要の位置に確実に識別情報をインプリントすることができる。
【００１９】
本発明の特に他と異なる利点は、廃棄可能剥離ライナ又はカバータブの必要性が排除されるようにしてブレスレット１０が互いに付着していることである。特に図２及び図３を参照すると、第１のブレスレット１０は閉鎖タブ２６を定める端部を有し、該端部は、第１のブレスレット１０の閉鎖タブの接着部分２４の上にある隣接ブレスレット１０’の把持可能カバータブ２２’を有する。カバータブ２２’を把持して、スコアラインに沿ったブレスレット１０の隣接している端部からカバータブ２２’及びブレスレット１０’の端部を分離することなどによって、識別ブレスレット１０と１０’とが互いに分離されると、図３に示すように、カバータブ２２’は識別ブレスレット１０’に留まり、隣接している識別ブレスレット１０の閉鎖タブ２６の接着部分２４が露出される。
【００２０】
図４及び図５を参照すると、各ブレスレット１０は、好ましくは好適に強く軽量で可撓性の複数のシート２８及び３０で製造され、互いに接合される。勿論、各シートは、互いに積層されるか、或いは互いに接合される材料の複数層から構成することができる。例証の目的で、単層の材料で構成される第１及び第２の正反対に向いたアウターシート２８及び３０だけが図示されている。シート２８及び３０は、接着層３２などの接着手段により比較的恒久的に接合される。接着部分２４は単に接着層３２の延長部とすることができる。しかしながら、当業者であれば理解されるように、ソニック溶接、ヒートシール、その他のような広範な接合手段を用いて、シート２８及び３０がブレスレット１０の長さの大半にわたって互いに比較的恒久的に接合されるようにすることができる。シート２８及び３０がソニック溶接又は熱などの他の手段で接合される場合には、隣接するブレスレット１０’が分離されるまで該隣接するブレスレット１０’のカバータブ２２’が接着パッチ２４の上にあるようにブレスレットの端部に接着パッチを配置することができる。ブレスレット１０’のカバータブ２２’は、ブレスレット１０の閉鎖タブ２６の接着部分２４に取り外し可能に載る。こうした取り外し可能接続は、シリコーン層（図示せず）などの剥離ライナを用いて達成され、図５に示すようにカバータブ２２’を隣接する閉鎖タブ２６に適切に保持しながら、意図して分離する際には取り外すことが可能である。
【００２１】
典型的には、シート２８又は３０の層の少なくとも１つは、インプリントされた情報を受け取ることが可能となる。例示的な実施形態では、シート３０は、合成サーマルラベルストックなどのプリント可能材料から構成され、プリンタ１４を介して供給することができ、識別又は同様の目的でプリントされた情報を有する。
【００２２】
スコアライン３４及び３６は、各シート２８及び３０に形成され、ここでは識別ブレスレット１０及び１０’が末端間をつないで重なり合っている。スコアライン３４及び３６は、識別ブレスレット１０及び１０’を互いに分離可能に接続させる程十分に深い。このようなスコアライン３４及び３６は、当該技術分野でよく知られるように複数の小孔から構成することができる。１つのスコアライン３６がカバータブ２２’の端部を定める。反対側の層３０内に形成される別のスコアライン３４は、図４に示すように第１のスコアライン３４からオフセットされており、閉鎖タブ２６の端部を定める。スコアライン３４及び３６並びに相対する層２８及び３０の構成を考えると、カバータブ２２’と閉鎖タブ２６の接着部分２４とは実質的に大きさが等しく相補的な配置である。この構成はまた、分離可能に接続されたブレスレット１０及び１０’の単一の厚みをもたらし、これらをプリンタ１４を介して容易に供給することができる。全体として、スコアライン３４及び３６は協働してブレスレット１０及び１０’の当接端部を形成する。
【００２３】
ブレスレット１０及び１０’がスコアライン３４及び３６に沿って互いに分離されると、通常はポリスチレンなどのプラスチック材料からなるアウターシート２８のフラップは、識別ブレスレット１０の端部から延びてカバータブ２２を定める。ブレスレット１０が隣接するブレスレット１０’から分離されると、識別ブレスレット１０の閉鎖タブ２６の接着部分２４が露出される。
【００２４】
図６及び図７に示すように、分離識別ブレスレット１０の接着部分２４が露出されるので、識別ブレスレット１０は、ユーザの手首などの識別される物体の周りを囲み、閉鎖タブ２６の接着部分２４が、識別ブレスレットの一部に接着され、識別される物体の周囲で識別ブレスレットを閉じることができる。通常、接着部分２４は、図７及び図８に示すように、ブレスレット１０の端部に留まるカバータブ２２が閉じられた識別ブレスレット内に配置されるように識別ブレスレットの外側表面３０上に付着される。
【００２５】
これによりブレスレット１０は単一の物品のままであり、ブレスレットを物体に取り付けるときに廃棄されることになる別個の廃棄物が全く発生しない。本発明のブレスレット１０はまた、バンド下部物体を囲むために接着区域から閉鎖部材又は剥離ライナを幾分複雑に部分的に除去する必要性を排除する。また、本発明のブレスレット１０によって、従来の識別ブレスレットを用いた上記の説明のように、物体を囲むためのバンドが生成された際に分離シート２８及び３０が互いから完全に分離されることになる可能性が排除される。
【００２６】
ここで図９〜図１３を参照すると、本発明の別の実施形態が図示されており、ここでは識別ブレスレット３８及び３８’は、細長い側縁に沿って互いに分離可能に接続されて、一面の複数のブレスレットを形成する。カバータブ４０又は４０’は、ブレスレット３８及び３８’の長形軸線にほぼ直角に延びて、通常はその端部に形成される隣接するブレスレット３８及び３８’の閉鎖タブ４４又は４４’の接着部分４２又は４２’上に載る。ブレスレット３８は一般に、スコアライン４６及び４８が該ブレスレット３８及び３８’の層内に形成される点で上述のものとほぼ類似のブレスレットから構成される。スコアライン４８は、ブレスレット３８の層の１つに形成され、これによりカラータブが定められるようになる。相対する層では、スコアライン４６は、当業者には理解されるように隣接するブレスレット３８及び３８’を互いに取り外すことができるように長さに沿って延びる。
【００２７】
図１２及び図１３に示すように、第１の識別ブレスレット３８が隣接する識別ブレスレット３８’から分離されると、該ブレスレットは物体の周りを囲み、閉鎖部材４４の露出される接着部分４２が識別ブレスレット３８のアウター表面上に付着され、通常はユーザの手首である物体上でブレスレット３８を閉鎖する。カバータブ４０は、識別ブレスレット３８に対しほぼ直角に延びるように留まることができ、また、図１３に示すように識別ブレスレット３８の内表面に向けて折り曲げて、ユーザがブレスレット３８を身につけたときに物体上に捕らえられるのを阻止することができる。
【００２８】
幾つかの実施形態を例証の目的で詳細に説明してきたが、本発明の範囲及び精神から逸脱することなく様々な修正を行うことができる。従って、本発明は添付の請求項を除いて限定されるものではない。
【図面の簡単な説明】
【００２９】
【図１】識別のために本発明に従ってコンピュータ制御によるプリンタを介して供給される、本発明を具現化する識別ブレスレットのスプールの概略図である。
【図２】本発明の教示に従って構成されたブレスレットのストリップの平面図である。
【図３】互いから分離されている隣接ブレスレットの端部を図示する区域「３」の拡大部分図である。
【図４】本発明の１つの実施形態において隣接ブレスレットの端部の重なり合った関係を示している、図２の線４−４に沿って一般に取られた断面図である。
【図５】互いから分離された隣接ブレスレットを示す図４に類似した断面図である。
【図６】閉鎖位置に移動されている、本発明に従って使用される識別ブレスレットの斜視図である。
【図７】ブレスレットに近接してブレスレット上に接着された閉鎖タブを有する識別ブレスレットを図示する図６に類似の斜視図である。
【図８】図７の線８から−８にほぼ沿って見た断面図である。
【図９】本発明の別の実施形態に従ってブレスレットのシートを形成するように末端間をつないで複数のブレスレットの平面図である。
【図１０】図９のブレスレットのシートの分解平面図である。
【図１１】隣接識別ブレスレットの閉鎖タブの接着部分の上にあるカバータブを示す図９の１１−１１にほぼ沿って見た断面図である。
【図１２】閉鎖位置に移動されている図９の単一の分離された識別ブレスレットを示す透視図である。
【図１３】ブレスレットを閉じるためにブレスレット上に接着される閉鎖タブと、曲げられたカバータブとを有する識別ブレスレットを図示する図１２に類似した透視図である。
【符号の説明】
【００３０】
１０  ブレスレット
１２  スプール
１４  プリンタ
１６  コンピュータ
【図１】
2008500872.tif 000003
【図２】
2008500872.tif 000004
【図３】
2008500872.tif 000005
【図４】
2008500872.tif 000006
【図５】
2008500872.tif 000007
【図６】
2008500872.tif 000008
【図７】
2008500872.tif 000009
【図８】
2008500872.tif 000010
【図９】
2008500872.tif 000011
【図１０】
2008500872.tif 000012
【図１１】
2008500872.tif 000013
【図１２】
2008500872.tif 000014
【図１３】
2008500872.tif 000015
【国際調査報告】
2008500872.tif 000016